(57)【特許請求の範囲】
【請求項１】
外部記憶媒体から画像データを読み込んで入力する入力部と、
プリントモードの選択を受け付けるモード選択部と、
選択されたプリントモードに基づいて、読み込んだ画像データからプリント用画像データを作成するプリント指示部と、
前記プリント用画像データをプリントするプリンタと、
前記モード選択部が複数の画像データをファイル名と共に一覧表示にしてプリントするインデックスプリントの選択を受け付けた後、前記入力部が前記外部記憶媒体から画像データの読み込みを行っている間に読み込み中断処理が行われたか否かを判定する中断判定部と、
前記読み込み中断処理が行われた場合に、プリント注文処理をキャンセルするか、又は中断前に読み込んだ画像データを用いてプリント注文処理を継続するかの選択を受け付け、プリント注文処理を継続するという選択を受け付けた場合に、読み込み済みの全ての画像データについてインデックスプリントを行うか、又は読み込み済みの画像データの一部についてインデックスプリントを行うかの選択を受け付ける継続処理選択部と、
を備える画像プリント装置。
【請求項２】
前記継続処理選択部が読み込み済みの画像データの一部についてインデックスプリントを行うという選択を受け付けた場合に、読み込み済みの画像データを撮影日別に選択可能となるようにタッチパネルに表示する撮影日選択部をさらに備えることを特徴とする請求項１に記載の画像プリント装置。
【請求項３】
前記継続処理選択部が読み込み済みの画像データの一部についてインデックスプリントを行うという選択を受け付けた場合に、前記外部記憶媒体におけるフォルダ構成に基づいて、読み込み済みの画像データをフォルダ別に選択可能となるようにタッチパネルに表示するフォルダ表示部をさらに備えることを特徴とする請求項１又は２に記載の画像プリント装置。
【請求項４】
前記中断判定部は、タッチパネルを介して中断指示を受け付けた場合に、読み込み中断処理が行われたと判定することを特徴とする請求項１乃至３のいずれかに記載の画像プリント装置。
【請求項５】
前記中断判定部は、前記入力部から前記外部記憶媒体が取り外されてから所定時間が経過した場合に、読み込み中断処理が行われたと判定することを特徴とする請求項１乃至４のいずれかに記載の画像プリント装置。
【請求項６】
前記読み込み中断処理が行われた場合に、中断された箇所を示す中断箇所情報を作成する作成部と、
前記中断箇所情報をユーザ端末へ送信する送信部と、
ユーザ端末から中断箇所情報を受信する受信部と、
を備え、
受信した中断箇所情報に基づいて、前回のプリント注文時に画像データの読み込みを中断した箇所を特定し、前記入力部は特定した箇所から画像データの読み込みを開始することを特徴とする請求項１乃至５のいずれかに記載の画像プリント装置。
【請求項７】
外部記憶媒体から画像データを読み込む工程と、
プリントモードの選択を受け付ける工程と、
選択されたプリントモードに基づいて、読み込んだ画像データからプリント用画像データを作成する工程と、
前記プリント用画像データをプリントする工程と、
前記プリントモードとして複数の画像データをファイル名と共に一覧表示にしてプリントするインデックスプリントの選択を受け付けた後、前記外部記憶媒体から画像データの読み込みを行っている間に読み込み中断処理が行われたか否かを判定する工程と、
前記読み込み中断処理が行われた場合に、プリント注文処理をキャンセルするか、又は中断前に読み込んだ画像データを用いてプリント注文処理を継続するかの選択を受け付ける工程と、
プリント注文処理を継続するという選択を受け付けた場合に、読み込み済みの全ての画像データについてインデックスプリントを行うか、又は読み込み済みの画像データの一部についてインデックスプリントを行うかの選択を受け付ける工程と、
を備える画像プリント方法。
【請求項８】
外部記憶媒体から画像データを読み込んで入力する入力部と、
プリントモードの選択を受け付けるモード選択部と、
選択されたプリントモードに基づいて、読み込んだ画像データからプリント用画像データを作成するプリント指示部と、
前記プリント用画像データ及びプリント注文を外部へ送信する通信部と、
前記モード選択部が複数の画像データをファイル名と共に一覧表示にしてプリントするインデックスプリントの選択を受け付けた後、前記入力部が前記外部記憶媒体から画像データの読み込みを行っている間に読み込み中断処理が行われたか否かを判定する中断判定部と、
前記読み込み中断処理が行われた場合に、プリント注文処理をキャンセルするか、又は中断前に読み込んだ画像データを用いてプリント注文処理を継続するかの選択を受け付け、プリント注文処理を継続するという選択を受け付けた場合に、読み込み済みの全ての画像データについてインデックスプリントを行うか、又は読み込み済みの画像データの一部についてインデックスプリントを行うかの選択を受け付ける継続処理選択部と、
を備える注文受付端末。
【発明の詳細な説明】
【技術分野】
【０００１】
本発明は、ユーザが所有する記憶媒体や携帯端末等に記憶されている画像データをプリント出力する画像プリント装置及び画像プリント方法に関する。また、本発明は、画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、ユーザは、デジタルカメラで撮影した画像データが記憶された記憶媒体を持参し、記憶媒体内の画像データを画像プリント装置に読み込ませる。画像プリント装置は、記憶媒体から読み込んだ画像データをプリントする。
【０００３】
多数の写真を一覧表示にしてプリントするインデックスプリント機能を備えた画像プリント装置が知られている。インデックスプリントは、画像と共にファイル名も印字するため、記憶媒体に撮りためた大量の画像データの整理に好適である。
【０００４】
画像プリント装置は、インデックスプリントの注文を受け付けると、記憶媒体に記憶されている全ての画像を読み込み、読み込んだ全ての画像をプリント出力対象として扱う自動出力モードを有する。この自動出力モードは、ユーザにとって、１つずつ画像を選択する手間を省くことができるため、操作が簡易になる。しかし、記憶媒体内の画像の一部のみをプリント出力したい場合でも、全ての画像の読み込みを待つ必要があり、非効率的であった。
【０００５】
画像の読み込み中にユーザが記憶媒体を取り外したり、注文キャンセルボタンを押したりして、操作を中断することがある。操作中断後、どのような処理が行われるかは、画像プリント装置の設置者（管理者）により事前に設定されており、ユーザが処理を選択することはできなかった。
【先行技術文献】
【特許文献】
【０００６】
【特許文献１】特開２００５−９２４４５号公報
【発明の概要】
【発明が解決しようとする課題】
【０００７】
本発明は、上記従来の実状に鑑みてなされたものであり、インデックスプリント注文の注文中断後の処理をユーザが選択できるようにすると共に、インデックスプリント注文を効率良く行うことができる画像プリント装置、画像プリント方法、及び注文受付端末を提供することを課題とする。
【課題を解決するための手段】
【０００８】
本発明の一態様による画像プリント装置は、外部記憶媒体から画像データを読み込んで入力する入力部と、プリントモードの選択を受け付けるモード選択部と、選択されたプリントモードに基づいて、読み込んだ画像データからプリント用画像データを作成するプリント指示部と、前記プリント用画像データをプリントするプリンタと、前記モード選択部が複数の画像データをファイル名と共に一覧表示にしてプリントするインデックスプリントの選択を受け付けた後、前記入力部が前記外部記憶媒体から画像データの読み込みを行っている間に読み込み中断処理が行われたか否かを判定する中断判定部と、前記読み込み中断処理が行われた場合に、プリント注文処理をキャンセルするか、又は中断前に読み込んだ画像データを用いてプリント注文処理を継続するかの選択を受け付け、プリント注文処理を継続するという選択を受け付けた場合に、読み込み済みの全ての画像データについてインデックスプリントを行うか、又は読み込み済みの画像データの一部についてインデックスプリントを行うかの選択を受け付ける継続処理選択部と、を備えるものである。
【０００９】
本発明の一態様による画像プリント装置は、前記継続処理選択部が読み込み済みの画像データの一部についてインデックスプリントを行うという選択を受け付けた場合に、読み込み済みの画像データを撮影日別に選択可能となるようにタッチパネルに表示する撮影日選択部をさらに備えることを特徴とする。
【００１０】
本発明の一態様による画像プリント装置は、前記継続処理選択部が読み込み済みの画像データの一部についてインデックスプリントを行うという選択を受け付けた場合に、前記外部記憶媒体におけるフォルダ構成に基づいて、読み込み済みの画像データをフォルダ別に選択可能となるようにタッチパネルに表示するフォルダ表示部をさらに備えることを特徴とする。
【００１１】
本発明の一態様による画像プリント装置において、前記中断判定部は、タッチパネルを介して中断指示を受け付けた場合に、読み込み中断処理が行われたと判定することを特徴とする。
【００１２】
本発明の一態様による画像プリント装置において、前記中断判定部は、前記入力部から前記外部記憶媒体が取り外されてから所定時間が経過した場合に、読み込み中断処理が行われたと判定することを特徴とする。
【００１３】
本発明の一態様による画像プリント装置は、前記読み込み中断処理が行われた場合に、中断された箇所を示す中断箇所情報を作成する作成部と、前記中断箇所情報をユーザ端末へ送信する送信部と、ユーザ端末から中断箇所情報を受信する受信部と、を備え、受信した中断箇所情報に基づいて、前回のプリント注文時に画像データの読み込みを中断した箇所を特定し、前記入力部は特定した箇所から画像データの読み込みを開始することを特徴とする。
【００１４】
本発明の一態様による画像プリント方法は、外部記憶媒体から画像データを読み込む工程と、プリントモードの選択を受け付ける工程と、選択されたプリントモードに基づいて、読み込んだ画像データからプリント用画像データを作成する工程と、前記プリント用画像データをプリントする工程と、前記プリントモードとして複数の画像データをファイル名と共に一覧表示にしてプリントするインデックスプリントの選択を受け付けた後、前記外部記憶媒体から画像データの読み込みを行っている間に読み込み中断処理が行われたか否かを判定する工程と、前記読み込み中断処理が行われた場合に、プリント注文処理をキャンセルするか、又は中断前に読み込んだ画像データを用いてプリント注文処理を継続するかの選択を受け付ける工程と、プリント注文処理を継続するという選択を受け付けた場合に、読み込み済みの全ての画像データについてインデックスプリントを行うか、又は読み込み済みの画像データの一部についてインデックスプリントを行うかの選択を受け付ける工程と、を備えるものである。
【００１５】
本発明の一態様による注文受付端末は、外部記憶媒体から画像データを読み込んで入力する入力部と、プリントモードの選択を受け付けるモード選択部と、選択されたプリントモードに基づいて、読み込んだ画像データからプリント用画像データを作成するプリント指示部と、前記プリント用画像データ及びプリント注文を外部へ送信する通信部と、前記モード選択部が複数の画像データをファイル名と共に一覧表示にしてプリントするインデックスプリントの選択を受け付けた後、前記入力部が前記外部記憶媒体から画像データの読み込みを行っている間に読み込み中断処理が行われたか否かを判定する中断判定部と、前記読み込み中断処理が行われた場合に、プリント注文処理をキャンセルするか、又は中断前に読み込んだ画像データを用いてプリント注文処理を継続するかの選択を受け付け、プリント注文処理を継続するという選択を受け付けた場合に、読み込み済みの全ての画像データについてインデックスプリントを行うか、又は読み込み済みの画像データの一部についてインデックスプリントを行うかの選択を受け付ける継続処理選択部と、を備えるものである。
【発明の効果】
【００１６】
本発明によれば、インデックスプリント注文の注文中断後の処理をユーザが選択できるようにすると共に、インデックスプリント注文を効率良く行うことができる。
【図面の簡単な説明】
【００１７】
【図１】本発明の実施形態による画像プリント装置のブロック構成図である。
【図２】同実施形態による画像プリント装置の斜視図である。
【図３】プリント注文受付プログラムの実行により実現される機能ブロック図である。
【図４】インデックスプリントによるプリント物の例を示す図である。
【図５】撮影日選択画面の例を示す図である。
【図６】フォルダ選択画面の例を示す図である。
【図７】同実施形態による画像プリント方法を説明するフローチャートである。
【図８】（ａ）（ｂ）は読み込み中断後の継続処理の選択画面の例を示す図である。
【図９】変形例によるプリント注文受付プログラムの実行により実現される機能ブロック図である。
【発明を実施するための形態】
【００１８】
以下、本発明の実施の形態を図面に基づいて説明する。
【００１９】
図１は本実施形態による画像プリント装置のブロック構成図であり、図２は画像プリント装置の斜視図である。図１に示すように、画像プリント装置は、タッチパネル１０、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００２０】
タッチパネル１０は、画像を含む情報を表示したり、利用者から各種指示の入力を受け付けたりする。例えば、タッチパネル１０は、利用者から、プリントモードの選択、プリント出力する用紙サイズの選択、後述する画像読み込み中断の指示などを受け付ける。図２に示すように、タッチパネル１０は、画像プリント装置の筐体１の上部に設けられ、ディスプレイ画面は略垂直に立った状態となっている。
【００２１】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、無線通信により携帯端末から画像データの入力を受け付けることができる。図２に示すように、データ入力部１１のデータ読取装置は、筐体１の上部、具体的には筐体１の天板１Ａとタッチパネル１０との間に設けられている。
【００２２】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２３】
プリンタ１３は、昇華型又はインクジェット型などの高解像度カラープリンタであり、注文内容に基づいて、画像データを印画紙にプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２４】
ディスク装置１５は、制御プログラム及びプリント注文受付プログラムを格納する。ディスク装置１５は例えばハードディスクドライブである。
【００２５】
ＣＰＵ１４は、ディスク装置１５内の制御プログラムをメインメモリ１６にロードし、制御プログラムを実行することで、画像プリント装置の各部を制御する制御部１４０として機能する。
【００２６】
また、ＣＰＵ１４は、ディスク装置１５内のプリント注文受付プログラムをメインメモリ１６にロードして実行する。プリント注文受付プログラムの実行に伴い、図３に示すように、モード選択部１４１、中断判定部１４２、継続処理選択部１４３、撮影日選択部１４４、フォルダ表示部１４５、及びプリント指示部１４６が実現され、メインメモリ１６には、入力された画像データや注文内容などを格納する領域が確保される。
【００２７】
モード選択部１４１は、プリントモードの選択を受け付ける。画像プリント装置は、プリントモードとして、１画像を１枚の印画紙にプリントする通常プリントモード、複数の画像を１枚の印画紙にレイアウトしてプリントする分割プリントモード、複数の画像をファイル名と共に一覧表示してプリントするインデックスプリントモード等を有する。
【００２８】
通常プリントモードでは、タッチペンで画像にお絵かきしたり、スタンプでデコレーションしたりするお絵かき編集や、文字を入力する文字入れ編集などを行うことができる。分割プリントモードは、複数種の分割レイアウトから所望のレイアウトを選択し、レイアウト内の各画像領域に画像を配置するものであり、１枚の印画紙に、例えば４〜１２枚程度の画像が配置される。
【００２９】
一方、インデックスプリントモードは、図４に示すように、１枚の印画紙２０に、例えば４０〜５０枚程度の画像２２をファイル名２４と共に小さく並べてプリントするものであり、撮り溜めた画像の整理等に便利なものである。
【００３０】
プリント注文受付プログラムの実行に伴い、お絵かき編集や文字入れ編集を行う編集処理部、分割レイアウトに画像を配置するレイアウト処理部なども実現されるが、本実施形態ではインデックスプリントにおける処理を説明するため、これらの機能の説明は省略する。
【００３１】
中断判定部１４２は、データ入力部１１を介して記憶媒体から画像データの読み込みを行っている際に、ユーザにより読み込みの中断処理が行われたか否かを判定する。例えば、画像データの読み込み中に、タッチパネル１０に表示されている中断ボタンが押されると、読み込みの中断処理が行われたと判定する。また、データ入力部１１のメディア挿入口に差し込まれている記憶媒体がユーザによって取り外され、一定時間（例えば１０秒）が経過した際に、読み込みの中断処理が行われたと判定する。
【００３２】
継続処理選択部１４３は、中断判定部１４２が読み込みの中断処理が行われたと判定した場合に、プリント注文をキャンセルするか、又は中断前に読み込んだ画像データを用いてプリント注文処理を継続するかの選択を受け付ける。プリント注文のキャンセルを受け付けた場合、読み込み済みの画像データを消去して、プリント注文処理を終了する。
【００３３】
プリント注文処理の継続を受け付けた場合、継続処理選択部１４３は、さらに、読み込み済みの全ての画像データをプリント出力対象とするか、又はプリント出力対象とする画像の絞り込みを行うかの選択を受け付ける。
【００３４】
撮影日選択部１４４は、プリント出力対象の画像の絞り込みとして、タッチパネル１０に撮影日選択画面を表示し、撮影日に基づく画像の選択を受け付ける。撮影日選択画面の一例を図５に示す。例えば、撮影日選択画面５０は、カレンダーを表示し、撮影された画像を撮影日別に表示する。切り替えボタン５１を押すことで、表示する月を切り替えることができる。
【００３５】
同日に複数の画像が撮影されている場合は、１又は複数の代表画像を表示する。代表画像は、撮影時刻の早い画像でもよく、ランダムに選定してもよい。ユーザは、カレンダーの各日付の選択ボタン５２を押すと、当該日付に撮影された全ての画像をプリント出力対象として選択できる。各日付の展開ボタン５４を押すと、当該日付に撮影された全ての画像がタッチパネル１０上に展開して表示され、画像毎にプリント出力対象とするか否か切り替えることができる。撮影日選択画面５０に一括選択ボタン５６を設け、当該月に撮影された全ての画像を一括してプリント出力対象として選択できるようにしてもよい。
【００３６】
フォルダ表示部１４５は、画像データの読み込み先の記憶媒体において画像データがフォルダ構成を持って格納されていた場合に、読み込んだ画像を同じフォルダ単位で選択できるようにタッチパネル１０に表示する。例えば、フォルダ表示部１４５は、図６に示すように、フォルダ６２及びフォルダ名６４を含むフォルダ選択画面６０を表示する。各フォルダ６２には、当該フォルダ６２に含まれる画像の中から選定された１又は複数の代表画像が表示される。各フォルダ６２の選択ボタン６６を押すと、当該フォルダ６２に含まれる全ての画像がプリント出力対象として選択できる。各フォルダ６２の展開ボタン６８を押すと、当該フォルダ６２に含まれる全ての画像がタッチパネル１０上に展開して表示され、画像毎にプリント出力対象とするか否か切り替えることができる。
【００３７】
プリント指示部１４６は、プリント出力対象の画像をファイル名と共に並べて配置し、プリント用画像データを作成する。プリント指示部１４６は、プリント用画像データをプリンタ１３へ転送し、印画紙にプリントするよう指示する。プリント出力対象の画像の絞り込みでフォルダ選択が行われていた場合は、選択されたフォルダ名を印字するようにしてもよい。また、プリント出力対象の画像の絞り込みで撮影日選択が行われていた場合は、選択された撮影日を印字するようにしてもよい。
【００３８】
次に、図７に示すフローチャートを用いて、本実施形態に係る画像プリント、特にインデックスプリントの注文を受け付け、画像データの読み込み中に読み込みが中断された場合の処理の流れを説明する。
【００３９】
ユーザが持参した可搬記憶媒体が接続される等して、データ入力部１１が画像データの読み込みを開始する（ステップＳ１０１）。タッチパネル１０にプリントモードの選択画面を表示し、ユーザからインデックスプリントモードの選択を受け付ける（ステップＳ１０２）。
【００４０】
中断判定部１４２が、画像データの読み込み中断処理が行われたか否かを監視・判定する（ステップＳ１０３）。タッチパネル１０に表示されている中断ボタンが押されたり、データ入力部１１から記憶媒体が取り外されて一定時間が経過したりした際に、読み込み中断処理が行われたと判定する。中断処理が行われた場合はステップＳ１０４に進む。
【００４１】
継続処理選択部１４３が、図８（ａ）に示すような、プリント注文をキャンセルするか、又は中断前に読み込んだ画像データを用いてプリント注文処理を継続するかの選択画面８０をタッチパネル１０に表示する（ステップＳ１０４）。ユーザがキャンセルボタン８１を押してキャンセルを選択した場合は、読み込み済みの画像データを消去して、プリント注文処理を終了する。
【００４２】
ユーザが継続ボタン８２を押してプリント注文処理の継続を選択した場合は、図８（ｂ）に示すような、読み込み済みの全ての画像データをプリント出力対象とするか、又はプリント出力対象とする画像の絞り込みを行うかの継続パターン選択画面８３を表示する（ステップＳ１０５）。ユーザが全選択ボタン８４を押して、読み込み済みの全ての画像データをプリント出力対象とすることを選択した場合はステップＳ１１０へ進む。
【００４３】
ユーザが撮影日ボタン８５を押した場合、撮影日選択部１４４は、図５に示すような撮影日選択画面５０を表示し、撮影日別にプリント出力対象の画像の選択を受け付ける（ステップＳ１０６、Ｓ１０７）。
【００４４】
ユーザがフォルダボタン８６を押した場合、フォルダ表示部１４５は、図６に示すようなフォルダ選択画面６０を表示し、フォルダ単位でのプリント出力対象の画像の選択を受け付ける（ステップＳ１０８、Ｓ１０９）。なお、画像データの読み込み先の記憶媒体において、画像データがフォルダ構成を持っていない場合、継続パターン選択画面８３にフォルダボタン８６は表示されない。
【００４５】
ユーザからの注文内容に基づく請求金額がタッチパネル１０に表示される。ユーザが貨幣を投入すると、課金部１２は投入された貨幣を計数し、釣銭の出金やレシートの印字等を行う（ステップＳ１１０）。
【００４６】
課金処理後、プリント指示部１４６が、プリント出力対象の画像をファイル名と共に並べて配置したプリント用画像データをプリンタ１３へ転送し、プリントを実行させる（ステップＳ１１１）。これにより、多数の画像をファイル名と共に小さく並べてプリントしたインデックスプリントのプリント物を作製できる。
【００４７】
以上のように、本実施形態による画像プリント装置は、インデックスプリントの画像の読み込み中に、読み込みの中断を行うことができ、さらに中断後に注文をキャンセルするか、又は読み込んだ画像を対象として注文を継続するか選択することができる。
【００４８】
また、注文を継続する場合、読み込み済みの全ての画像データをプリント出力対象とするか、又はプリント出力対象とする画像の絞り込みを行うか、継続パターンの選択を受け付ける。継続パターン選択画面８３の全選択ボタン８４（図８（ｂ）参照）を押すことで、読み込み済みの全ての画像データを容易にプリント出力対象とすることができる。画像の絞り込みでは、撮影日単位又はフォルダ単位でプリント出力対象の画像を選択することができる。そのため、プリント出力を所望する画像を容易に選択できる。
【００４９】
このように、本実施形態によれば、インデックスプリント注文の注文中断後の処理をユーザが選択できるようにすると共に、インデックスプリント注文を効率良く行うことができる。
【００５０】
画像プリント装置の制御部１４０は、データ入力部１１を介して記憶媒体から画像データを読み込む際に、記憶媒体に格納されている画像データの容量と、データ転送速度とから、全ての画像データの読み込みに要する時間を算出（推定）し、タッチパネル１０に表示してもよい。また、制御部１４０は、画像データの読み込みが完了するまでの残り時間や、何％程度の画像データの読み込みが終わっているかをタッチパネル１０に表示してもよい。ユーザは、タッチパネル１０に表示されている画像データ読み込みの進捗に応じて、読み込みを中断するか否かを判断することができる。
【００５１】
画像プリント装置は、画像データの読み込みが中断された際に、中断された箇所を示す読み込み中断箇所情報を作成し、通信部（図示略）がユーザ所有の携帯端末へ読み込み中断箇所情報を送信してもよい。この場合、プリント注文受付プログラムの実行に伴い、図９に示すように、中断箇所情報作成部１４７、中断箇所情報送信部１４８、及び中断箇所情報受信部１４９がさらに実現される。
【００５２】
中断箇所情報作成部１４７は、画像データの読み込みが中断されると、最後に読み込んだ画像データのファイル名と、記憶媒体内の画像データを撮影日時の古い順に読み込んだか又は新しい順に読み込んだかを示す読み込み順情報とを含む読み込み中断箇所情報を作成する。中断箇所情報送信部１４８は、作成された中断箇所情報を、通信部を用いてユーザ所有の携帯端末へ送信する。
【００５３】
画像プリント装置は、データ入力部１１に記憶媒体が差し込まれると、全ての画像データを読み込むか、又は前回プリント注文時に読み込みを中断した箇所から読み込みを再開するかの選択を受け付ける。前回のプリント注文時に読み込みを中断した箇所から読み込みを再開することが選択されると、中断箇所情報受信部１４９は、読み込み中断箇所情報の受信待機状態となり、ユーザの携帯端末から読み込み中断箇所情報を受信する。画像プリント装置は、受信した読み込み中断箇所情報から、画像データの読み込みを再開する箇所を特定し、読み込みを開始する。
【００５４】
このように、読み込み中断箇所情報を用いることで、既にインデックスプリントとしてプリント出力した画像データを再度読み込む必要がなくなり、画像データの読み込みに要する時間を短縮することができる。
【００５５】
画像プリント装置は、画像データの読み込みを行いながら、読み込みんだ画像データをタッチパネル１０上に順次サムネイル表示してもよい。
【００５６】
上記実施形態では、画像データの読み込み中の中断処理について説明したが、画像データのプリント中にプリント処理を中断できるようにしてもよい。画像プリント装置の制御部１４０は、プリント枚数や、搭載されているプリンタ１３の台数等に基づき、プリント処理に要する時間を算出し、タッチパネル１０に表示する。ユーザは、プリント所要時間から、プリント処理を中断するか否か判断することができる。
【００５７】
プリント処理が中断された場合、制御部１４０は、未出力のプリント枚数から返金額を算出する。画像プリント装置が返金機能を備えている場合は、算出された返金額を返金する。画像プリント装置が返金機能を備えていない場合は、返金額及び返金方法が印字されたクーポンを出力する。
【００５８】
上記実施形態では、画像データの読み込みを中断した際に、プリント注文をキャンセルするか、又は中断前に読み込んだ画像データを用いてプリント注文処理を継続するかをユーザが選択できる例について説明したが、画像プリント装置の管理者（設置者）が、画像データ読み込み中断後の処理を予め決定し、装置に設定しておけるようにしてもよい。
【００５９】
上記実施形態において、画像プリント装置は、２つ以上のタッチパネルを備えていてもよい。例えば、選択画面８０や継続パターン選択画面８３を第１タッチパネルに表示し、撮影日選択画面５０やフォルダ選択画面６０を第２タッチパネルに表示してもよい。
【００６０】
上記実施形態では、インデックスプリントの注文を受け付けた後、画像データの読み込み中に読み込みが中断された場合について説明したが、読み込みが中断されずに完了した場合は、例えば、画像プリント装置は、読み込んだ全ての画像をプリント出力対象として扱う自動出力モードで動作する。
【００６１】
上記実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント用画像データ及び注文内容を、有線又は無線ネットワークを介してプリンタサーバへ送信する通信部が設けられる。利用者は郵送等によってプリント物を受け取る。
【００６２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６３】
１０  タッチパネル
１１  データ入力部
１２  課金部
１３  プリンタ
１４  ＣＰＵ
１５  ディスク装置
１６  メインメモリ
１４０  制御部
１４１  モード選択部
１４２  中断判定部
１４３  継続処理選択部
１４４  撮影日選択部
１４５  フォルダ表示部
１４６  プリント指示部
【図１】
0006578968.tif 000002
【図２】
0006578968.tif 000003
【図３】
0006578968.tif 000004
【図４】
0006578968.tif 000005
【図５】
0006578968.tif 000006
【図６】
0006578968.tif 000007
【図７】
0006578968.tif 000008
【図８】
0006578968.tif 000009
【図９】
0006578968.tif 000010